(57)【要約】【課題】本発明は、スタンドによって支えることを必要とせず、ユーザー自らが機能や素子のバージョンアップを行うことが可能な上、分解やメンテナンスが容易なデスクトップコンピューター及びその製造方法を提供することを課題とする。【解決手段】本発明は、デスクトップコンピューター及びその製造方法を提供する。本発明のデスクトップコンピューター１は、ディスプレイ１１及びコンピューター本体を１２備える。ディスプレイ１１は表示側１１１及び背面側１１２を有する。本体１２の一端はディスプレイ１１の背面側１１２に接続され、本体１２の他端とディスプレイ１１はデスクトップコンピューター１が置かれた表面Ｓに接触する。さらに、本体１２とディスプレイ１１は調整可能な挟角Ａを形成する。【選択図】図１Ｂ
2009295138.tif 000002
【特許請求の範囲】
【請求項１】
表示側及び背面側を有するディスプレイと、
その一端は前記ディスプレイの前記背面側に接続され、他端と前記ディスプレイは置かれている表面に接触し、前記ディスプレイと共に調整できる挟角を形成する本体とを備えることを特徴とする
デスクトップコンピューター。
【請求項２】
表示側及び背面側を有するディスプレイと、
その一端は前記ディスプレイの前記背面側に接続され、前記ディスプレイがそれを介して支えられて表面に接触する本体とを備えることを特徴とする
デスクトップコンピューター。
【請求項３】
前記ディスプレイは前記表示側に設置されたフロントフレームを有し、
さらに、その一部分は前記表面に接触することを特徴とする
請求項１又は２に記載のデスクトップコンピューター。
【請求項４】
前記フロントフレームの前記表面との接触部分はカーブ弧形、ウェーブ形、のこぎり状であることを特徴とする
請求項３に記載のデスクトップコンピューター。
【請求項５】
前記本体は、ＣＰＵユニット、画像処理ユニット、メモリユニット、保存ユニット、リーダ／ライタ装置等、またはその組み合わせを含むことを特徴とする
請求項１又は２に記載のデスクトップコンピューター。
【請求項６】
前記本体は支えパーツを有し、
前記支えパーツは前記表面に接触することを特徴とする
請求項１又は２に記載のデスクトップコンピューター。
【請求項７】
前記本体は蓋部分を有し、着脱式で前記ディスプレイと背中合わせの前記本体の一側面に設置されることを特徴とする
請求項１又は２に記載のデスクトップコンピューター。
【請求項８】
前記ディスプレイ及び前記本体に接続される接続組立部品を備え、
さらに、前記ディスプレイと前記本体は前記接続組立部品を介して調節可能な前記挟角を形成することを特徴とする
請求項１に記載のデスクトップコンピューター。
【請求項９】
前記挟角は鋭角であることを特徴とする
請求項１に記載のデスクトップコンピューター。
【請求項１０】
前記ディスプレイ及び前記本体に接続される接続組立部品を備え、
さらに、前記ディスプレイと前記本体が前記接続組立部品を介して形成される挟角が鋭角であることを特徴とする
請求項２に記載のデスクトップコンピューター。
【請求項１１】
デスクトップコンピューターの製造方法であって、
前記デスクトップコンピューターはディスプレイ及び本体を備え、
前記ディスプレイは表示側及び背面側を有し、
前記本体の一端は前記ディスプレイの前記背面側に接続されて、他端と前記ディスプレイは前記デスクトップコンピューターが置かれた表面に接触し、
前記本体及び前記ディスプレイは調節可能な挟角を形成し、
クライアントからの本体及びディスプレイに関する選択の指示を受けるステップと、
前記選択の指示に基づき本体及びディスプレイを取得するステップと、
前記本体の一端は前記ディスプレイの前記背面側に接続されるステップとを備えることを特徴とする
デスクトップコンピューターの製造方法。
【請求項１２】
前記選択の指示は、前記ディスプレイのサイズ及び色、前記本体のグレード及び機能を含むことを特徴とする
請求項１１に記載の製造方法。
【請求項１３】
前記表示側にフロントフレームが設置され、
さらに、前記フロントフレームの一部分は前記表面に接触することを含むことを特徴とする
請求項１１に記載の製造方法。
【請求項１４】
前記本体及び前記ディスプレイに接続する接続組立部品を介して前記本体と前記ディスプレイの挟角を調整することを含むことを特徴とする
請求項１１に記載の製造方法。
【請求項１５】
支えパーツが前記本体の一側面に設置されることで、前記支えパーツを前記表面に接触させることを含むことを特徴とする
請求項１１に記載の製造方法。
【請求項１６】
着脱式で蓋部分が前記本体と背中合わせの前記ディスプレイの一側面に設置されることを含むことを特徴とする
請求項１１に記載の製造方法。
【発明の詳細な説明】
【技術分野】
【０００１】
本発明はデスクトップコンピューターに関し、特にデスクトップコンピューター及びその製造方法に関する。
【背景技術】
【０００２】
現在、デスクトップコンピューターはすでに広く一般に応用されており、それは、主にディスプレイ及び本体を備え、ディスプレイは画面を表示し、本体はディスプレイを駆動して画面を表示させると同時に、大量の計算及び画像処理を行なう。
【０００３】
また、半導体の製造工程の進歩により素子の小型化が進み、一体型（all-in-one）のデスクトップコンピューターが発売された。  
一体型とは、コンピューター本体主とディスプレイが同じハウジング内に統合されて、それぞれの機能で動作するものである。
【発明の開示】
【発明が解決しようとする課題】
【０００４】
しかしながら、従来のデスクトップコンピューターにおけるディスプレイ及び本体は２個の独立した構成部分であり、少なくとも映像伝送ケーブルで互いに接続して使用しなければならない。  
前記映像伝送ケーブルは、外部に接続されていることで、場所をとる上、運搬しにくいといった使用上の不便が生じる。さらに、美観にも影響する。  
また、ディスプレイはスタンドによって支える必要があるため、コストが高くなる。
【０００５】
また、一体型のデスクトップコンピューターは場所を取らず、運搬にも便利だが、コンピューター本体とディスプレイが同一ハウジング内に統合されているため、ユーザーの技術の進歩や必要性に応じてその機能をバージョンアップさせたい場合、メーカーで分解して複雑な技術によってコンピューターをメンテナンスする必要がある。  
このため、一体型のデスクトップコンピューターも同様にスタンドによって支える必要があり、コストが高くなる。
【０００６】
したがって、本発明は、スタンドによって支えることを必要とせず、ユーザー自らが機能や素子のバージョンアップを行うことが可能な上、分解やメンテナンスが容易なデスクトップコンピューター及びその製造方法を提供することを課題とする。
【課題を解決するための手段】
【０００７】
上記課題を解決するため、本発明は、スタンドによって支えることを必要とせず、ユーザー自らが機能や素子のバージョンアップを行うことが可能な上、分解やメンテナンスが容易なデスクトップコンピューター及びその製造方法を提供することを目的とする。
【０００８】
また、上記課題を解決するため、本発明は、別にスタンドの設置を必要としないことで、製造コストを抑えることが可能なデスクトップコンピューター及びその製造方法を提供することを目的とする。
【０００９】
上記目的を達成するため、本発明のデスクトップコンピューターは、ディスプレイ及びコンピューター本体を備える。  
ディスプレイは表示側及び背面側を有する。  
本体の一端はディスプレイの背面側に接続され、本体の他端とディスプレイはデスクトップコンピューターが置かれた表面に接触する。  
さらに、本体とディスプレイは調整可能な挟角を形成する。
【００１０】
また、上記目的を達成するため、本発明のデスクトップコンピューターは、ディスプレイ及びコンピューター本体を備える。  
ディスプレイは表示側及び背面側を有する。  
本体の一端はディスプレイの背面側に接続され、ディスプレイは本体によって支えられて表面に接触する。
【００１１】
本発明は、デスクトップコンピューターの製造方法も開示する。  
本発明のデスクトップコンピューターは、ディスプレイ及びコンピューター本体を備える。  
ディスプレイは表示側及び背面側を有する。  
本体の一端はディスプレイの背面側に接続され、本体の他端とディスプレイはデスクトップコンピューターが置かれた表面に接触する。  
さらに、本体とディスプレイは調整可能な挟角を形成する。  
本発明の製造方法は、以下のステップを備える。  
クライアントからのコンピューター本体及びディスプレイの選択に関する指示を受ける。  
選択された指示に基づき、本体及びディスプレイを取得する。  
本体の一端をディスプレイの背面側に接続させる。
【００１２】
このように、本発明の本体及びディスプレイは、２個の独立した構成部分を接続させて、技術の進歩や必要に応じてユーザー自らが機能や素子のバージョンアップが可能である上、分解やメンテナンスが容易である。  
また、本発明のディスプレイは、本体によって支えられるため、別に支えるためのスタンドを設置する必要がなく、製造コストの削減が可能である。
【発明の効果】
【００１３】
本発明の本体及びディスプレイは、２個の独立した構成部分を接続させて、技術の進歩や必要に応じてユーザー自らが機能や素子のバージョンアップが可能である上、分解やメンテナンスが容易である。  
また、本発明のディスプレイは、本体によって支えられるため、別に支えるためのスタンドを設置する必要がなく、製造コストの削減が可能である。
【発明を実施するための最良の形態】
【００１４】
図１Ａから図１Ｃは、本発明の好適な実施例におけるデスクトップコンピューターを異なる角度から見た図である。  
同時に、図１Ａから図１Ｃを参照しながら説明する。  
本実施例のデスクトップコンピューター１は、ディスプレイ１１及び本体１２を備える。
【００１５】
本実施例のディスプレイ１１は種類を制限しない。  
例えば、液晶ディスプレイ（ＬＣＤ）、発光ダイオード（ＬＥＤ）ディスプレイ、有機ＥＬ（Organic Electroluminescence,ＯＥＬ）ディスプレイ、電界放出ディスプレイ（Field Emission Display,ＦＥＤ）または表面伝動型電子放出素子ディスプレイ（ＳＥＤ）なども可能であるが、これに限らない。  
ディスプレイ１１は表示側１１１及び背面側１１２を有する。  
ディスプレイ１１の表示画面は表示側１１１に位置し、背面側１１２と表示側１１１は反対側に設置される。
【００１６】
本体１２の一端Ｅ１はディスプレイ１１の背面側１１２に接続されて、ディスプレイ１１を支える。  
ディスプレイ１１と本体１２の他端Ｅ２は表面Ｓに接触する。  
さらに、本体１２とディスプレイ１１は調整可能な挟角Ａを形成する。  
本実施例において、本体１２とディスプレイ１１の接続は、機構的な接続及び電気的な接続を含む。  
本体１２は大量の計算及び画像処理を行なうのに用いられると同時に、ディスプレイ１１の表示画面を駆動させる。  
本体１２の機能が異なることで、含まれる素子も異なる。  
例えば、本体１２はＣＰＵユニット、画像処理ユニット、メモリユニット、保存ユニット及びリーダ／ライタ装置等、またはその組み合わせを含む。  
本体１２はその他の素子を備えて、その他の機能を実施することも可能である。  
例えば、本体１２は有線伝送パーツ及び／または無線伝送パーツ（例えば、ＷＩ−ＦＩ（商標）パーツ、ＷＩＭＡＸ（商標）パーツまたはブルートゥース（ＢＬＵＥＴＯＯＴＨ：登録商標）・パーツ等）を備えることでデータの交換が可能となる。
【００１７】
本体１２がディスプレイ１１の背面側１１２に設置されることによって、本体１２は支えとしてディスプレイ１１を支えることが可能で、ディスプレイ１１は表面Ｓに接触する。  
これは表面Ｓの状態に制限されず、表面Ｓは平面、曲面または不規則な面でも可能である。  
また、本実施例の本体１２の厚みは、幅の六分の一より小さい場合も可能であり、本体１２と本体１１の形状が同様の薄型四方体となって、本体１２がディスプレイ１１を支える効果を高める。
【００１８】
以下に本発明のデスクトップコンピューター１について詳しい説明をする。
【００１９】
ディスプレイ１１はフロントフレーム１１３を有して、表示側１１１に設置される。  
さらに、フロントフレーム１１３の一部分は表面Ｓに接触する。  
本実施例において、フロントフレーム１１３はかみ合わせ式、はめ込み式、またはねじによる固定式によって表示側１１１に設置されて、ディスプレイ１１のその他の構成部分と結合される。  
例えば、フロントフレーム１１３はディスプレイ１１のリアカバー１１４と結合され、さらに、上述の結合方式により、ユーザー自らフロントフレーム１１３を交換することができる。  
そして、フロントフレーム１１３のデザイン及び／または色を変えることが可能である。  
フロントフレーム１１３と表面の接触部分はカーブ弧形、ウェーブ形、のこぎり状、直線形またはその他の形状が可能である。
【００２０】
本体１２は支えパーツ１２１を有し、支えパーツ１２１は表面Ｓに接触する。  
支えパーツ１２１の形状は制限されない。例えば、平板状、ウェーブ状、のこぎり状またはその他の形状が可能である。  
支えパーツ１２１は本体１２のその他の構成部分に結合させることが可能である。例えば、支えパーツ１２１は本体１２の外側ケース１２２に結合させることが可能で、その結合方式はかみ合わせ式、はめ込み式、またはねじによる固定式等が可能で、さらに、ユーザー自ら支えパーツ１２１を交換することが可能である。
【００２１】
本体１２はさらに、蓋部分１２３を有する。  
それは着脱可能で、本体１２に背中合わせにディスプレイ１１の一側面に接続される。  
蓋部分１２３はかみ合わせ式、はめ込み式、またはねじによる固定式等によって、本体１２の外側ケース１２２に設置される。  
ユーザーが本体１２内の素子を交換する場合、蓋部分１２３を取り外して、本体１２内部の素子をバージョンアップしたり、交換したりすることが可能である。  
例えば、本体１２のハードディスク、メモリ及びインタフェースカード等を交換することが可能である。
【００２２】
デスクトップコンピューター１はさらに、接続組立部品１３を備える。  
接続組立部品１３はディスプレイ１１と本体１２を接続させる。  
さらに、ディスプレイ１１と本体１２は、接続組立部品１３を介して挟角Ａを調整する。  
例えば、挟角Ａを調整して、鋭角、直角または鈍角にすることが可能である。本実施例において、接続組立部品１３は軸接続のパーツであって、第一接続部品１３１及び第二接続部品１３２を有する。  
第一接続部品１３１はディスプレイ１１に連結されて一体成型され、第二接続部品１３２は本体１２に連結されて一体成型される。  
本実施例において、第二接続部品１３２は第一接続部品１３１にはめ込まれて連結される。
【００２３】
当然、その他の実施例において、接続組立部品１３はその他の方式が可能である。  
例えば、第一接続部品１３１がディスプレイ１１にねじによる固定式、またはかみ合わせ式によって接続される方式、第二接続部品１３２が本体１２にねじによる固定式、またはかみ合わせ式によって接続される方式である。  
また、挟角Ａは制限されることが可能で、本実施例においては、第一接続部品１３１を介して第二接続部品１３２が回転する動きを止めて挟角Ａを制限する。  
また、ディスプレイ１１と本体１２は、異なる挟角Ａに固定することも可能である。  
例えば、接続組立部品１３が歯車構造を備えて、歯車構造によってディスプレイ１１及び本体１２を対応する異なる歯数の位置に固定させて挟角Ａをコントロールする。
【００２４】
また、接続組立部品１３はユーザーがディスプレイ１１と本体１２を分解するのに便利な設計となっており、ユーザー自らディスプレイ１１及び／または本体１２を交換することが可能である。  
図２に示したのは、他のデスクトップコンピューター１ａである。  
デスクトップコンピューター１ａは、本体１２に他の大きなディスプレイ１１ａを組み合わせることも可能である。
【００２５】
図１Ａから図１Ｃに示したように、デスクトップコンピューター１はさらに、接続ケーブル１４を備える。  
接続ケーブル１４は接続組立部品１３内に設置されて、本体１２とディスプレイ１１に電気的に接続される。  
接続ケーブル１４は単一のリード線またはフラットケーブルでも可能で、接続組立部品１３を介して本体１２及びディスプレイ１１に電気的に接続される。
【００２６】
図３は、本発明の好適な実施例における上述のデスクトップコンピューター１の製造方法のフローチャートである。  
本発明の製造方法は、ステップＳ０１からステップＳ０３を備える。  
このうち、ステップＳ０１は、クライアントからのコンピューター本体及びディスプレイの選択に関する指示を受ける。  
本実施例のデスクトップコンピューター１のディスプレイ１１及び本体１２は２個の独立した構成部分であるため、クライアントは、本体１２またはディスプレイ１１の種類について、そのニーズまたは標準製品に基づいて選択して組み合わせることが可能である。  
このうち、選択による指示は、例えば、ディスプレイのサイズや色、フロントフレームのデザイン及び色、そして、本体のグレード及び機能等を含む。
【００２７】
ステップＳ０２は、選択された指示に基づき本体１２及びディスプレイ１１を取得する。  
本体１２及びディスプレイ１１については上記で詳しく説明済みであるため、ここでは詳述しない。  
また、その他の実施例において、選択された指示に基づいて、その他の本体またはディスプレイを取得することも可能である。  
例えば、図２に示したようなディスプレイ１１ａである。
【００２８】
ステップＳ０３は、本体１２の一端Ｅ１をディスプレイ１１の背面側１１２に連結させる。  
本体１２とディスプレイ１１の連結及び操作については、すでに上記で詳しく説明済みであるため、ここでは詳述しない。  
メーカーが生産するデスクトップコンピューター１は輸送に便利である。  
まず本体１２及びディスプレイ１１の挟角Ａをゼロにし、ユーザーの手元に配達された後、必要に応じて挟角Ａを調整する。
【００２９】
また、本実施例の製造方法はさらに、表示側１１１にフロントフレーム１１３が設置されることを含む。  
さらに、フロントフレーム１１３の一部分は表面Ｓに接触するか、支えパーツ１２１が本体１２の一側面に設置されて、支えパーツ１２１を表面Ｓに接触させるか、着脱可能な蓋部分１２３が本体１２と背中合わせのディスプレイ１１の一側面に設置されるか、本体１２及びディスプレイ１１の接続組立部品１３を介して、本体１２とディスプレイ１１の挟角Ａを調整する。  
上述の構成はすでにデスクトップコンピューター１において詳しく説明済みであるため、ここでは詳述しない。
【００３０】
このように、本発明の本体及びディスプレイは２個の独立した構成部分が互いに連結することにより、技術の進歩及び必要に応じて、ユーザー自らが機能及びバージョンをアップさせることが可能である。  
さらに、分解やメンテナンスが容易である。  
また、本発明のディスプレイは、本体によって支えられることで別に支えるためのスタンドが不要であるため、製造コストの低減が可能である。
【００３１】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００３２】
【図１Ａ】本発明の好適な実施例のデスクトップコンピューターを斜め前から見た図である。
【図１Ｂ】本発明の好適な実施例のデスクトップコンピューターを横から見た図である。
【図１Ｃ】本発明の好適な実施例のデスクトップコンピューターを斜め後から見た図である。
【図２】本発明の好適な実施例のデスクトップコンピューターを他のディスプレイに使用した状態を示した図である。
【図３】本発明の好適な実施例のデスクトップコンピューターの製造方法のフローチャートである。
【符号の説明】
【００３３】
１，１ａ      デスクトップコンピューター
１１，１１ａ  ディスプレイ
１１１        表示側
１１２        背面側
１１３        フロントフレーム
１１４        リアカバー
１２          本体
１２１        支えパーツ
１２２        外側ケース
１２３        蓋部分
１３          接続組立部品
１３１        第一接続部品
１３２        第二接続部品
１４          接続ケーブル
Ａ            挟角
Ｅ１，Ｅ２    端
Ｓ            表面
Ｓ０１〜Ｓ０３  デスクトップコンピューターの製造方法のステップ
【図１Ａ】
2009295138.tif 000003
【図１Ｂ】
2009295138.tif 000004
【図１Ｃ】
2009295138.tif 000005
【図２】
2009295138.tif 000006
【図３】
2009295138.tif 000007